(57)【特許請求の範囲】
【請求項１】
シャッタレリーズによって回動する駆動部材と、往動は前記駆動部材によって動かされ復動はバネによって動かされることによりシャッタ羽根を開閉走行させる開閉部材と、アパーチャの開口規制位置への往動は前記駆動部材によって動かされ復動はバネによって動かされる開口規制部材と、往動は前記駆動部材によって動かされ復動はバネによって動かされると共に前記開口規制部材の復動を開口規制位置で係止し該係止の解除は前記駆動部材に往動させられて行う係止部材とを備え、撮影レンズの設定信号に対応し、前記開閉部材の作動中、前記係止部材が前記開口規制部材を開口規制位置に係止しておけるようにしたことを特徴とする開口規制機構を備えたカメラ用シャッタ。
【請求項２】
撮影レンズの設定信号に対応して正転及び逆転するパルスモータを備え、該パルスモータの正転で前記駆動部材を正方向へ、またその逆転で前記駆動部材を逆方向へ回転させ、該回動のいずれか一方においてのみ、前記開閉部材の作動中、前記係止部材が前記開口規制部材を開口規制位置に係止しておけるようにしたことを特徴とする請求項１に記載の開口規制機構を備えたカメラ用シャッタ。
【請求項３】
露光時間が、前記パルスモータの駆動電流のパルス幅を変えることによって制御されるようにしたことを特徴とする請求項２に記載の開口規制機構を備えたカメラ用シャッタ。
【発明の詳細な説明】
【０００１】
【産業上の利用分野】
本発明は、往復運動して開閉作動を行うシャッタ羽根を備えており、その開口口径を撮影レンズの変倍や距離の設定に連動して自動的に規制するようにした開口規制機構を備えたカメラ用シャッタに関する。
【０００２】
【従来の技術】
近年、レンズシャッタを内蔵したコンパクトカメラにも撮影レンズの変倍装置を備えたものが増えてきた。変倍装置には撮影レンズ系の一部のレンズを光軸方向へ連続的に移動させるものと、レンズ系をテレとワイドで切り換えるものとがあるが、いずれの場合も望遠状態にするとＦ値が変化し且つ描写性能が劣化するため、望遠撮影を行う場合にはレンズ口径を絞り込み、良い画像が得られるようにすることが知られている。また、収差の補正機能を持たせるために距離情報に応じてレンズ口径を絞りこんで撮影するようにすることが知られている。他方、シャッヤの制御技術や感光材料の進歩に伴い、従来のように独立した絞り機構を設けず、シャッタ羽根に口径規制を行わせるようにしたレンズシャッタも数多く実現している。
【０００３】
このような状況から、撮影レンズのズーミング操作位置に対応させてシャッタ羽根の開口口径を規制させるようにしたものが特開平２−２５４４２８号公報，特開平２−２５４４３１号公報で提案されている。そして、それらの提案においては、シャッタ装置が略円形の外形形状をした基板上に配置されており、またズーム環が該基板の円周に沿って配置されており、シャッタ羽根の開閉部材は、ズーム環に形成された規制カムに衝突し、又はズーム環に形成されたカムによって位置制御される該基板上の規制カムに衝突し、その開き方向への作動量が制御され、シャッタ羽根の開口口径を規制するようにしている。
【０００４】
【発明が解決しようとする課題】
しかしながら、上記した二つの提案の構成は、ズーム環とシャッタの基板との間を相対的に移動させるようにしているため、両者間には隙間を設ける必要がある。そのため、設計上漏光に対する配慮が必要となり、また必要な遮光手段を施すことによってコストアップになるという問題がある。更に、ズーム環にはカムを形成することから、ズーム環の内径を大きくしなければならなくなるか、基板上のシャッタ構成の設計に制約を受けてしまうという問題がある。更には、シャッタ開閉部材が開き作動を行う時、所定の口径位置で規制部材に衝突するので、シャッタ羽根が開口位置でバウンドしてしまい、露光精度を上げるようにすることが極めて難しいという問題がある。
【０００５】
本発明は、このような問題点を解決するためになされたものであり、その目的とするところは、上記した従来例のように連続的に開口規制を行うのではなく、撮影レンズの所定の設定情報に応じて一つの開口規制を行うようにした、構成が簡単で小型化に適し、且つシャッタ羽根の作動に影響を与えず露光精度のよい開口規制機構を備えたカメラ用シャッタを提供することである。
【０００６】
【課題を解決するための手段】
上記の目的を達成するために、本発明の開口規制機構を備えたカメラ用シャッタは、シャッタレリーズによって回動する駆動部材と、往動は前記駆動部材によって動かされ復動はバネによって動かされることによりシャッタ羽根を開閉走行させる開閉部材と、アパーチャの開口規制位置への往動は前記駆動部材によって動かされ復動はバネによって動かされる開口規制部材と、往動は前記駆動部材によって動かされ復動はバネによって動かされると共に前記開口規制部材の復動を開口規制位置で係止し該係止の解除は前記駆動部材に往動させられて行う係止部材とを備え、撮影レンズの設定信号に対応し、前記開閉部材の作動中、前記係止部材が前記開口規制部材を開口規制位置に係止しておけるようにする。
【０００７】
また、本発明の開口規制機構を備えたカメラ用シャッタは、好ましくは、撮影レンズの設定信号に対応して正転及び逆転するパルスモータを備え、該パルスモータの正転で前記駆動部材を正方向へ、またその逆転で前記駆動部材を逆方向へ回転させ、該回動のいずれか一方においてのみ、前記開閉部材の作動中、前記係止部材が前記開口規制部材を開口規制位置に係止しておけるようにする。
更に、本発明の開口規制機構を備えたカメラ用シャッタは、好ましくは、露光時間が、前記パルスモータの駆動電流のパルス幅を変えることによって制御されるようにする。
【０００８】
【作用】
撮影前の初期状態においては、シャッタ羽根は開閉部材によってアパーチャを閉じている。また開口規制部材は非開口規制位置にあり、係止部材に係止されていない。カメラを被写体に向け撮影レンズを所定の設定位置にセットしてからシャッタをレリーズすると、駆動部材が正方向へ回転を開始する。撮影レンズが例えば望遠位置に設定されている場合には、該駆動部材は、先ず開口規制部材を開口規制位置に往動させ、その位置で係止部材に係止させる。次に、駆動部材は開閉部材を往復動させ、シャッタ羽根の開閉作動を行わせる。シャッタ羽根が閉じた後、駆動部材は、係止部材の係止を解除し、開口規制部材を原位置に復帰させてから初期位置に復帰する。
【０００９】
上記において、駆動部材を正方向へのみ回動する部材として構成した場合には、撮影レンズの設定信号によって望遠位置に設定されていないときのみ該駆動部材の作動域に臨む仲介部材を備え、駆動部材が、開閉部材を往復動させる直前に、該仲介部材を介して係止部材の係止を解除し、開口規制部材を原位置に復帰させるようにする。また、駆動部材が正逆転可能なパルスモータによって正方向又は逆方向へ回動されるように構成されている場合には、駆動部材は、撮影レンズが望遠位置に設定されていないときにはその設定信号によって逆方向へ回動され、開閉部材を往復動させるだけで原位置に復帰する。後者の構成にした場合には、露光時間は、パルスモータへのパルス幅を変えることによって調整される。
【００１０】
【実施例】
第１実施例
本発明の第１実施例を図１乃至図９を用いて説明する。図１は本実施例のシャッタの初期状態を示す平面図である。図２乃至図４は各々開口規制を行わない場合の作動を説明するための平面図であり、図２は駆動部材が時計方向に９０度回動した状態を、図３は同様に１８０度回動した状態を、図４は同様に２７０度回動した状態を示している。図５乃至図８は開口規制を行う場合の作動を説明するための平面図であり、図５は駆動部材が反時計方向に９０度回動した状態を、図６は同様に１８０度回動した状態を、図７は同様に２７０度回動した状態を、図８は同様に３１５度回動した状態を示している。図９はシャッタ羽根の開閉作動を示すタイムチャートであり、図（ａ）はパルスモータに供給するパルスの幅が広い場合、図（ｂ）は狭い場合を示している。
【００１１】
先ず、図１を用いて本実施例の構成を説明する。シャッタ地板１（図面上では外形が省略されている）にはアパーチャ１ａとスロット１ｂが形成されている。このシャッタ地板１の表面側には、軸１ｄ，１ｅ，１ｆが植設されており、且つストッパ用のピン１ｇ，１ｈ，１ｉが植設されている。また、シャッタ地板１の背面に植設されたピン１ｊには、シャッタ羽根２が回転可能に取り付けられている。このシャッタ羽根２は、周知のようにスロット２ａの位置を略共通として対称的に２枚配置されているが、図面の都合上１枚のシャッタ羽根のみが示されている。
【００１２】
シャッタ地板１の軸１ｄには開口規制部材３が回転可能に取り付けられており、バネ４によって左旋習性が付与されている。この開口規制部材３は三つの腕部３ａ，３ｂ，３ｃを有していて、腕部３ａの先端には開口部３ｄが形成されており、また腕部３ｂの先端にはフック部３ｅが形成されており、また腕部３ｃには折曲部３ｆが形成されている。更に、腕部３ｃに植設された軸３ｇには、当接部５ａを有する爪レバー５が回転可能に取り付けられており、バネ６によって右旋習性が付与されているが、図１においてはその右旋を折曲部３ｆによって阻止されている。
【００１３】
シャッタ地板１の軸１ｅには開閉部材７が回転可能に取り付けられており、バネ８によって左旋習性が付与されている。この開閉部材７は二つの腕部７ａ，７ｂを有している。腕部７ａの先端にはピン７ｃが背面方向へ植設されており、スロット１ｂを貫通してシャッタ地板１の背面でシャッタ羽根２のスロット２ａに嵌合している。このピン７ｃは、図示していないもう１枚のシャッタ羽根のスロットにも嵌合していることは言うまでもない。他方、腕部７ｂの先端には当接部７ｄが形成されている。
【００１４】
シャッタ地板１の軸１ｆには係止部材９が回転可能に取り付けられており、バネ１０によって左旋習性が付与されている。この係止部材９の先端には上記フック部３ｅに係合する係止部９ａが形成され、また中程には当接部９ｂが形成されている。シャッタ地板１には正逆転可能なパルスモータ１１が取り付けられており、その出力軸１１ａには駆動部材１２が取り付けられている。そして、この駆動部材１２に植設された駆動ピン１２ａは、駆動部材１２が回動したとき、上記した各当接部５ａ，７ｄ，９ｂに当接可能となっている。
【００１５】
次に、本実施例の作動を説明する。撮影に先立って撮影レンズを操作し、撮影画枠を設定する。この設定情報は、撮影レンズの望遠領域の設定信号と、非望遠領域の設定信号とに分けられ、撮影時に、図示していない制御回路に伝えられる。そして、その設定信号が望遠領域の設定信号の場合にはパルスモータを図１において反時計方向へ回転させ、非望遠領域の設定信号の場合には時計方向へ回転させる。そこで、先ず、撮影レンズの設定により、制御回路に非望遠領域の設定信号が与えられた場合を図１乃至図４によって説明する。
【００１６】
撮影レンズの設定後、カメラのレリーズボタンを押すと、最初に、上記制御回路の電源が閉じて測光回路を働かせると共に上記の撮影レンズの設定信号が与えられる。次に、レリーズボタンを更に深く押すと、撮影開始の信号が制御回路に与えられ、測光回路の測定結果に対応したパルス幅の通電によって、即ち測定結果に対応した速度によって、パルスモータ１１が時計方向へ回転させられる。この回転で、駆動部材１２の駆動ピン１２ａは、先ず当接部９ｂをバネ１０に抗して押し、係止部材９を右旋させた後、９０度回動して図２の位置に達する。この状態においては、係止部材９は既にバネ１０によって左旋され、ピン１ｉによって停止されて原位置へ復帰している。
【００１７】
駆動部材１２が更に回動すると、駆動ピン１２ａは開閉部材７の当接部７ｄを押す。そのため、開閉部材７はバネ８に抗して右旋され、ピン７ｃによってシャッタ羽根２を作動させ、アパーチャ１ａを開口させる。図３には、図１の初期位置から１８０度回動してアパーチャ１ａを全開した状態が示されている。その後、駆動ピン１２ａが尚も回動すると、開閉部材７はバネ８によって左旋され、シャッタ羽根２に閉じ作動をさせたあと、ピン１ｈによって停止され、原位置へ復帰する。
【００１８】
図４には、駆動部材１２が更に回動し、初期位置から２７０度の位置で、駆動ピン１２ａが爪レバー５の当接部５ａに当接している状態が示されている。この状態から駆動部材１２が更に回動すると、駆動ピン１２ａは爪レバー５を押すが、バネ４の力よりバネ６の力の方が弱いため、爪レバー５は軸３ｇにおいてバネ６の力に抗して左旋される。従って、開口規制部材は全く動かない。その後、駆動ピン１２ａが通り過ぎると、爪レバー５はバネ６によって右旋し、その右旋を折曲部３ｆに阻止されることによって原位置へ復帰する。そして、最後に、駆動部材１２が１回転し、駆動ピン１２ａが図１の位置に達した時、パルスモータ１１が停止されて、一連の露光作動が終了する。
【００１９】
次に、撮影レンズの設定により、制御回路に望遠領域の設定信号が与えられた場合の作動を図１、及び図５乃至図９によって説明する。撮影レンズの設定後、カメラのレリーズボタンを押すと、上記の場合と同様にして被写体の測光が行われ、その測定信号と上記の設定信号が制御回路に与えられる。次に、更にレリーズボタンを深く押すと、撮影開始の信号が制御回路に与えられ、測光回路の測定結果に対応したパルス幅の通電によってパルスモータ１１が反時計方向へ回転される。この回転で、駆動部材１２の駆動ピン１２ａは、先ず爪レバー５の当接部５ａを押す。そのため、爪レバー５は折曲部３ｆを押して開口規制部材３をバネ４に抗して右旋させる。
【００２０】
開口規制部材３が右旋し、図５の位置の直前に達すると、フック部３ｅの先端が係止部９ａの先端部を押し、係止部材９をバネ１０に抗して右旋させる。しかし、このようなフック部３ｅと係止部９ａとの関係は、夫々の作動軌跡の差から一時的なものであって直ぐに解かれるため、係止部材９はバネ１０によって復帰する。この時、殆ど同時に駆動ピン１２ａによる爪レバー５の押動量がピークに達しているため、開口規制部材３の右旋も停止し、フック部３ｅと係止部９ａとは図５に示すような係合状態となる。従って、この状態においては、開口規制部材３の左旋は係止部材９によって阻止されており、アパーチャ１ａの開口口径は開口規制部材３によって規制され、この場合の開口口径は開口部３ｄの口径となっている。
【００２１】
駆動部材１２が更に回動すると、駆動ピン１２ａは開閉部材７の当接部７ｄを押す。そのため、開閉部材７はバネ８に抗して右旋され、ピン７ｃによってシャッタ羽根２に開き作動を行わせる。図６は、駆動部材１２が図１の初期位置から１８０度回動した位置を示したものであり、この状態においては、シャッタ羽根は開口部３ｄを全開し且つ開き作動の最終位置にある。その後、駆動ピン１２ａが尚も回動すると、開閉部材７はバネ８によって左旋され、シャッタ羽根２に閉じ作動をさせたあと、ピン１ｈによって停止され、原位置へ復帰する。そして、初期位置から２７０度反時計方向へ回動した状態が図７に示されている。
【００２２】
図７の状態から駆動部材１２が更に回動すると、駆動ピン１２ａは係止部材９の当接部９ｂを押し、係止部材９をバネ１０に抗して右旋させる。そのため、係止部９ａによるフック部３ｅの係止が解かれ、開口規制部材３はバネ４によって原位置に復帰する。このときの状態が図８に示されており、駆動部材１２は図１の初期位置から反時計方向へ３１５度回動した位置となっている。その後、駆動ピン１２ａが通り過ぎると、係止部材９はバネ１０によって左旋し原位置へ復帰する。そして、最後に、駆動部材１２が１回転し、駆動ピン１２ａが図１の位置に達した時、パルスモータ１１が停止されて、一連の露光作動が終了する。
【００２３】
上記の説明において、パルスモータ１１は、測光回路の測定結果に対応したパルス幅の通電によって、即ち測定結果に対応した速度によって、回転させられることを述べた。この点を図９を用いて詳しく説明する。先ず、図（ａ）を基準にして考える。この図は、コイルＡに印加されるパルス幅がＸｍｓの１パルスによってシャッタ羽根２が開き作動を行い、コイルＢに印加されるパルス幅がＸｍｓの１パルスによってシャッタ羽根２が閉じ作動を行うことを示している。このことは、駆動部材１２の駆動ピン１２ａが開閉部材７の当接部７ｄを押しシャッタ羽根２を動かし始めてから図３及び図６の状態に達するまでにＸｍｓ要したということである。
【００２４】
測光回路による被写体光の測定結果が、図（ａ）に示した場合よりも強い場合には、シャッタ羽根２の作動は図（ｂ）に示すようにして行われる。この場合、１パルスのパルス幅は、ＸｍｓよりＡｍｓ短い（Ｘ−Ａ）ｍｓとなる。即ち、駆動部材１２の駆動ピン１２ａが開閉部材７の当接部７ｄを押しシャッタ羽根２を動かし始めてから図３及び図６の状態に達するまでに（Ｘ−Ａ）ｍｓ要し、且つ閉じ作動も同様となる。また、コイルＡ，Ｂのパルス間の間隔も所定の比率で短くなっている。そのため、露光時間は短くなる。従って、このことから撮影レンズの設定により、制御回路に望遠領域の設定信号が与えられた場合、即ち開口規制部材３の開口部３ｄを使用して撮影する場合には、上記と同じ考え方に立ち、開口口径が小さくなった分だけ逆にコイルＡ，Ｂのパルス間の間隔を広くし、露光時間を長くするようにする。
【００２５】
第２実施例
本発明の第２実施例を図１０によって説明する。尚、本実施例の構成は、第１実施例の構成と殆どの点で共通しているので、第１実施例の構成と同じものについては、同じ符号を付け、その説明を省略し、異なる点のみを説明する。先ず、本実施例においては、第１実施例における爪レバー５が設けられていない。そのため、バネ６も設けられていないし、開口規制部材３に折曲部３ｆも設けられていない。そのため、爪レバー５の当接部５ａに代わって、開口規制部材３の腕部３ｃに当接部３ｈが形成されている。
【００２６】
仲介部材１３は、当接部１３ａ，スロット１３ｂ，ピン１３ｃを有しており、シャッタ地板１に植設された軸１ｍにスロット１３ｂを嵌合させている。この仲介部材１３は、バネ１５によって軸１ｍで左旋習性を付与されているが、その左旋は、シャッタ地板１に植設されたストッパ用のピン１ｎによって阻止されており、また、もう一つのバネ１６によって図面の右上方へ付勢されているが、スロット１３ｂの長手方向の一端が軸１ｍに当接してその移動を阻止されている。また、この仲介部材１３は、図において係止部材９のピン９ｃに接触している。
【００２７】
更に、シャッタ地板１にはプランジャ１４が取り付けられている。このプランジャ１４は、通電されたとき内蔵するバネの付勢力に抗して可動子１４ａを矢印方向へ移動させる。可動子１４ａはピン１３ｃに接触しており、プランジャ１４が通電されたときには、ピン１３ｃを押し、バネ１６に抗して仲介部材１３を図面上略左下方へ移動させる。プランジャ１４に通電されるのは、撮影レンズが望遠領域に設定されている場合であり、その場合には、仲介部材１３の当接部１３ａは、駆動ピン１２ａの作動軌跡外へ移動することになる。また、本実施例における駆動部材１２は、時計方向には回転せず、反時計方向にのみ回転されるように構成されている。
【００２８】
次に、作動の説明をする。尚、本実施例においては第１実施例のように夫々の作動位置を示す複数の図面を用意していないが、第１実施例の作動説明を念頭におけば、以下の説明は容易に理解できる。本実施例の場合にも、初期位置においては、第１実施例の場合と同じように、駆動ピン１２ａが一点鎖線で示す位置にある。先ず、撮影レンズが非望遠領域に設定された場合について説明する。撮影レンズの設定後、カメラのレリーズボタンを押すと、電源が閉じて測光回路を働かせると共に制御回路に上記の撮影レンズの設定信号が与えられる。レリーズボタンを更に深く押すと、撮影開始の信号が制御回路に与えられ、測光回路の測定結果に対応したパルス幅の通電によって、パルスモータ１１が反時計方向へ回転させられる。
【００２９】
このパルスモータ１１の回転で、駆動部材１２の駆動ピン１２ａは、先ず当接部３ｈを押し、バネ４に抗して開口規制部材３を右旋させる。その後、開口規制部材３は、係止部材９の係止部９ａにフック部３ｅを係止されて図１０の状態となる。従って、この状態においては、一応、開口規制部材３は開口規制位置にセットされたことになる。駆動ピン１２ａは、図１０の位置から更に回動すると、次に当接部１３ａを押す。そのため、仲介部材１３は軸１ｍでバネ１５に抗して僅かに右旋させられる。この右旋によってピン９ｃが押されるので、係止部９ａによるフック部３ｅの係止が解かれ、開口規制部材３は原位置へ復帰する。
【００３０】
その後、駆動部材１２が更に回動すると、駆動ピン１２ａは開閉部材７の当接部７ｄを押す。そのため、開閉部材７はバネ８に抗して右旋され、ピン７ｃによってシャッタ羽根２を作動させ、開口規制されることなくアパーチャ１ａを開口させる。その後の駆動部材１２の回動により、開閉部材７はバネ８によって左旋され、シャッタ羽根２に閉じ作動をさせたあと、ピン１ｈによって停止され、原位置へ復帰する。駆動部材１２はその後も反時計方向へ回動を続け、駆動ピン１２ａが一点鎖線で示されている初期位置へ復帰したとき停止する。その途中で、駆動ピン１２ａが係止部材９の当接部９ｂを押し、係止部材９に往復運動をさせるが、機能上には何の影響も及ぼさない。
【００３１】
次に、撮影レンズの設定により、制御回路に望遠領域の設定信号が与えられた場合の作動を説明する。撮影レンズの設定後、カメラのレリーズボタンを押すと、上記の場合と同様にして被写体の測光が行われ、その測定信号と上記の設定信号が制御回路に与えられる。更にレリーズボタンを深く押すと、撮影開始の信号が制御回路に与えられ、先ずプランジャ１４に通電した後、パルスモータ１１が測光回路の測定結果に対応した速度で反時計方向へ回転される。
【００３２】
プランジャ１４が通電されたことにより、可動子１４ａは矢印方向へ動かされ、ピン１３ｃを押して当接部１３ａを駆動ピン１２ａの作動軌跡から退避させているので、駆動部材１２は、開口規制部材３を図１０の係止状態から解除することなく、開閉部材７を作動させる。従って、シャッタ羽根２は開口規制部材３の開口部３ｄの口径で開閉作動を行う。駆動部材１２は尚も反時計方向への回動を続け、駆動ピン１２ａが係止部材９の当接部９ｂを押し、係止部９ａによるフック部３ｅの係止を解除してから、初期位置へ復帰し、停止する。
【００３３】
本実施例においては、パルスモータ１１によって駆動部材１２を一方向へのみ回転させるものであるから、パルスモータに代えて、駆動部材１２をバネ駆動するようにすることも可能である。但し、その場合には、駆動部材１２に、電磁ガバナー又は機械ガバナーを設ける必要があり、コスト的には有利であるとは言いがたい。また、本実施例において、可動子１４ａはバネ１６によって常にピン１３ｃに接触するようになされているが、可動子１４ａの該接触部を二股のフォーク状にし、ピン１３ｃを摺動可能に挟むように構成すれば、上記のバネ１６は不要となる。
【００３４】
尚、上記の各実施例においては、撮影レンズの変倍，レンズ交換，テレ・ワイドの切り換え等による画枠サイズの情報によって開口規制を行う場合で説明したが、本発明は、前にも述べたように距離情報によって開口規制を行う場合にも適用することができるものである。
【００３５】
【発明の効果】
上記のように、本発明は、撮影レンズとの関係で設計配置上の制約を受けることが全くなく、また、撮影レンズの所定の設定情報に応じて一つだけの開口規制を行うようにしたから構成が簡単で小型化に適し、しかも、シャッタ開閉部材を、開き作動の途中で、規制部材に衝突させるようなこともしないので、シャッタ羽根の作動に影響を与えず、所期の露光精度を得ることが可能となる。
【図面の簡単な説明】
【図１】第１実施例のシャッタの初期状態を示す平面図である。
【図２】図１の状態から駆動部材が時計方向に９０度回動した状態を示す平面図である。
【図３】図１の状態から駆動部材が時計方向に１８０度回動した状態を示す平面図である。
【図４】図１の状態から駆動部材が時計方向に２７０度回動した状態を示す平面図である。
【図５】図１の状態から駆動部材が反時計方向に９０度回動した状態を示す平面図である。
【図６】図１の状態から駆動部材が反時計方向に１８０度回動した状態を示す平面図である。
【図７】図１の状態から駆動部材が反時計方向に２７０度回動した状態を示す平面図である。
【図８】図１の状態から駆動部材が反時計方向に３１５度回動した状態を示す平面図である。
【図９】シャッタ羽根の開閉作動を示すタイムチャートであり、図（ａ）はパルスモータに供給されたパルスの幅が広い場合、図（ｂ）は狭い場合を示している。
【図１０】第２実施例の平面図である。
【符号の説明】
１                          シャッタ地板
２                          シャッタ羽根
３                          開口規制部材
３ｄ                        開口部
３ｅ                        フック部
３ｆ                        折曲部
５                          爪レバー
３ｈ，５ａ，７ｄ，９ｂ，１３ａ    当接部
７                          開閉部材
９                          係止部材
９ａ                        係止部
１１                        パルスモータ
１１ａ                      出力軸
１２                        駆動部材
１２ａ                      駆動ピン
１３                        仲介部材
１４                        プランジャ
１４ａ                      可動子
【図１】
0003561339.tif 000002
【図２】
0003561339.tif 000003
【図３】
0003561339.tif 000004
【図４】
0003561339.tif 000005
【図５】
0003561339.tif 000006
【図６】
0003561339.tif 000007
【図７】
0003561339.tif 000008
【図８】
0003561339.tif 000009
【図９】
0003561339.tif 000010
【図１０】
0003561339.tif 000011